【事件の表示】
　上記当事者間の登録第５０３９７８１号商標の登録取消審判事件について、次のとおり審決する。
【結　論】
　本件審判の請求は、成り立たない。
　審判費用は、請求人の負担とする。
【理　由】
１　本件商標
　本件登録第５０３９７８１号商標（以下「本件商標」という。）は、別掲のとおりの構成よりなり、平成１７年１１月２９日に登録出願、第４１類「環境についての知識の教授，環境に関する映画・ビデオの上映・制作及び配給，環境に関する協議会の企画・運営・開催，環境に関する講演会・研修会・セミナーの企画・運営又は開催，環境に関する講演会・研修会・研究会の企画・運営又は開催，環境に関する知識と技能の検定試験」並びに第７類、第１１類、第３７類及び第４２類に属する商標登録原簿に記載のとおりの商品及び役務を指定商品及び指定役務として、平成１９年４月１３日に設定登録され、その商標権は、現に有効に存続しているものである。
　
２　請求人の主張
　請求人は、「本件商標の指定役務中の『第４１類　環境についての知識の教授，環境に関する知識と技能の検定試験』についての登録を取り消す。審判費用は被請求人の負担とする。」との審決を求めると申し立て、その理由を「本件商標は、その指定役務中の上記役務について、継続して３年以上日本国内において、商標権者、専用使用権者又は通常使用権者のいずれによっても使用されていないから、その登録は、商標法第５０条第１項の規定により取り消されるべきである。」旨述べた。
　
３　被請求人の主張
　被請求人は、結論同旨の審決を求めると答弁し、その理由を次のように述べ、証拠方法として、乙第１号証ないし乙第９号証（枝番を含む。）を提出した。
（１）使用の事実
　ア　使用者について
　商標権者は、株式会社ゼロエミッション・ホールディングス（以下「ゼロエミッション・ホールディングス」という。）との間で、平成２０年８月２０日に、本件商標の商標権を、ゼロエミッション・ホールディングスに使用許諾する契約を締結した（乙１）。なお、上記契約の締結後、ゼロエミッション・ホールディングスは、住所を移転し、かつ、社名を「株式会社ＺＥエナジー」に変更した（乙２）。また、上記使用許諾契約書における商標権者の住所は、本件商標の商標登録原簿の住所と相違しているが、これは、商標権者が代表取締役を務める株式会社ゼロエミッション（以下「ゼロエミッション」という。）の住所を商標権者の住所として記載したものである（乙３）。なお、ゼロエミッションは、平成２０年に役員の人員整理を行い、現在同社の役員は商標権者１名であり、平成２０年以降、営業活動を含め実質的な企業活動は、ゼロエミッション・ホールディングス（現株式会社ＺＥエナジー）が行い、商標権者は、ゼロエミッション・ホールディングスが開催するセミナー等で講師を務めるという関係になっている。
　したがって、乙号証において、平成２０年８月以前に作成したチラシ等の社名は、「株式会社ゼロエミッション」となっている。平成２０年８月は、本件審判の請求の登録よりも３年２月前となるが、商標権者及び使用権者が継続して本件商標を使用していることを示すため、平成２０年以前の証拠も提出する。
　イ　本件商標の使用
　（ア）乙第４号証は、当初の通常使用権者であるゼロエミッションが主催するセミナー及び検定試験の案内チラシであり、ゼロエミッションに商標の使用が許諾された後、２００８年（平成２０年）２月に１０００部印刷されたものである。
　乙第５号証は、ゼロエミッション・ホールディングスが主催するセミナー及び検定試験の案内チラシであり、２００９年（平成２１年）８月に、１０００部印刷されたものである。
　上記チラシは、乙第６号証に示す「ＮＥＷ環境展」、「バイオマス総合展」、「インターネプコン・ジャパン」等の各種展示会等で配布するために作成されたもので、日時等を記載せず、参加者からの申し込みがある程度まとまった際に会場を選定し、セミナーを行っている。これらのチラシの右下に本件商標が表されている。
　乙第７号証は、外国人参加者があった際の記念撮影写真及びそのときの参加者名簿である。セミナーは、小規模に社内で開催することも多く、その都度記録写真を撮影しているわけではないが、２０１０年（平成２２年）２月１２日及び同年６月２２日開催の際は外国からの参加者という特殊ケースであったため、記念撮影を行った。ゼロエミッション・ホールディングスは、海外企業とのつながりも深く、外国人が来日した際にセミナーを開催し、通訳を介して知識の教授を行うこともある。参加者名簿の右下に本件商標が表されている。
　したがって、ゼロエミッション又はゼロエミッション・ホールディングスがセミナー及び検定試験を企画・運営し、商標権者が講師として「環境に関する知識の教授」を行っていることは明らかである。
　乙第８号証は、２０１１年（平成２３年）１１月１３日及び同１４日に日本人を対象に熱海で開催されたセミナーの参加者名簿及び写真である。この写真及び参加者名簿は、本件審判の請求後のものであるが、通常使用権者が継続的にセミナー及び検定試験を開催し、「環境に関する知識の教授」を日本国内において行っていることの一証左である。
　なお、商標権者は、上記関連会社内に限らず、例えば、「境界技術研究会」等、外部の団体でも環境に関するテーマの講演会で講師を務めており、「環境に関する知識の教授」を行っている（乙９）。
（２）むすび
　以上のとおり、商標権者及び通常使用権者が、本件商標を指定役務「環境についての知識の教授、環境に関する知識と技能の検定試験」について使用していることは明らかである。
　
４　当審の判断
（１）乙第１号証ないし乙第３号証、乙第５号証、乙第７号証の１及び２によれば、以下の事実を認めることができる。
　ア　商標権者は、東京都港区赤坂三丁目８番８号に所在（平成２２年１月５日に東京都台東区台東二丁目２５番６号に移転：乙２）のゼロエミッション・ホールディングスとの間で、平成２０年８月２０日に、本件商標の商標権をゼロエミッション・ホールディングスに使用許諾する旨の商標権使用許諾契約を締結した（乙１）。なお、商標権使用許諾契約書（乙１）には、使用範囲、使用期間、使用料等についての定めの記載はない。また、該契約書の商標権者の住所は、商標権者が取締役をしているゼロエミッションの所在地である（乙３）。
　イ　ゼロエミッション・ホールディングスは、２００９年（平成２１年）１０月に、同社が主催する「【ゼロエミッション・環境に関するセミナー及び検定試験】」について、同表題と共に、「ゼロエミッション式　持続可能な循環型社会システムについての講義をします。」の文字等を記載したチラシを１０００部作成した（乙５）。該チラシの右下部には、本件商標が表示されている（なお、チラシには、上記セミナー及び検定試験が開催される日時についての記載はない。）。
　ウ　ゼロエミッション・ホールディングスが２０１０年（平成２２年）２月１２日に同社本社内で開催した「【ゼロエミッション・環境に関するセミナー及び検定試験】」には、３名の外国人が参加した（乙７の１）。また、ゼロエミッション・ホールディングスが２０１０年（平成２２年）６月２２日に富山県小矢部市で開催した「【ゼロエミッション・環境に関するセミナー及び検定試験】」には、６名の外国人が参加した（乙７の２）。そして、上記環境に関するセミナー及び検定試験における「参加者名簿」の右下部には、本件商標が表示されている。
（２）前記（１）で認定した事実によれば、本件商標の通常使用権者と認めることができるゼロエミッション・ホールディングスは、同社が主催する「環境に関するセミナー及び検定試験」について、本件審判の請求の登録（平成２３年１０月１１日）前３年以内である２００９年（平成２１年）１０月に、本件商標を表示したチラシを作成し、これを頒布したものと推認することができる。また、ゼロエミッション・ホールディングスは、本件審判の請求の登録前３年以内である２０１０年（平成２２年）２月及び同年６月に、「環境に関するセミナー及び検定試験」を実施したこと及びその実施時に使用した「参加者名簿」に本件商標を表示したことを認めることができる。そして、上記「環境に関するセミナー及び検定試験」は、本件請求に係る指定役務に含まれる役務であることは明らかである。
　そうすると、当該通常使用権者の行為は、「商品又は役務に関する広告、定価表若しくは取引書類に標章を付して・・頒布・・する行為」（商標法第２条第３項第１号）、「役務の提供に当たりその提供を受ける者の利用に供する物に標章を付する行為」（同第３号）に該当するものと認めることができる。
　したがって、被請求人は、本件審判の請求の登録前３年以内に日本国内において、通常使用権者が請求に係る指定役務に含まれる「環境に関するセミナー及び検定試験」について、本件商標を使用していたことを証明したというべきである。
　一方、請求人は、前記３の被請求人の答弁に対し、何ら弁駁するところがない。
（３）むすび
　以上のとおりであるから、本件商標の登録は、その指定商品及び指定役務中、請求に係る役務について、商標法第５０条の規定により、取り消すことはできない。
　よって、結論のとおり審決する。